(57)【要約】【課題】ＥＰＧでＴＶ画面上に番組表を表示し任意の番組を選択する。しかし、電子機器の操作が苦手なユーザーにとってはＥＰＧで番組を選択することは困難であるため、上記ユーザーは新聞などの番組欄を自ら確認し、リモコンなどで選局していた。【解決手段】番組欄が書き込まれている電子ペーパーを固定するとともに、タッチパネルを備えた選択手段と、電子ペーパーに書き込まれている文字情報を文字認識すると共に前記文字の位置情報を認識する文字及び領域認識手段と、ＥＰＧデータを取得するＥＰＧ取得手段と、文字及び領域認識手段で認識した文字情報と文字の位置情報とＥＰＧ取得手段で取得したＥＰＧ情報と選択手段のタッチパネルからチャンネル情報を認識するチャンネル認識手段と、チャンネル認識手段で認識したチャンネルに変更する旨のリモコン信号を発信する発信手段とを備える。【選択図】図１
2008028609.tif 000002
【特許請求の範囲】
【請求項１】
番組欄が書き込まれている電子ペーパーを固定するとともに、タッチパネルを備えた選択手段と、
前記電子ペーパーに書き込まれている文字情報を文字認識すると共に前記文字の位置情報を認識する文字及び領域認識手段と、
ＥＰＧデータを取得するＥＰＧ取得手段と、
前記文字及び領域認識手段で認識した文字情報と文字の位置情報と前記ＥＰＧ取得手段で取得したＥＰＧ情報と前記選択手段のタッチパネルからチャンネル情報を認識するチャンネル認識手段と、
前記チャンネル認識手段で認識したチャンネルに変更する旨のリモコン信号を発信する発信手段とを備えたリモコン装置。
【発明の詳細な説明】
【技術分野】
【０００１】
本発明はテレビジョン放送を受信するテレビジョン受信機のリモコン装置に関するものである。
【背景技術】
【０００２】
近年、番組選択手段としてさまざまなサービスが提供され、たとえばＥＰＧ（Ｅｌｅｃｔｒｏｎｉｃ  Ｐｒｏｇｒａｍ  Ｇｕｉｄｅ）では、テレビ画面をみながらリモコン操作をすることで番組選択を行う事が可能となっている。しかしこの方法ではサービス内容はテレビ画面上に表示される為、複数でテレビの視聴中前記サービスを表示させる場合、他の視聴者に不快感を与えてしまうことになる。この課題を解決する手法として、リモコン装置に番組表等を表示し、直接選択することで番組を選択する等の手法が提案されている（例えば、特許文献１）。
【特許文献１】特開２００４―２６６７９９号公報
【発明の開示】
【発明が解決しようとする課題】
【０００３】
しかしながら上述のテレビ画面上のＥＰＧを用いて番組を選択する手法やリモコンに表示された番組表を用いて番組を選択する手法は、ユーザーがリモコン等の電子機器の機能を充分に理解して使いこなす能力を備えている必要がある。そのため、お年寄りのなど、電子機器の操作に不慣れであるユーザーは使いこなすことができずに、従来どおりに新聞等の番組欄を確認し、リモコンのチャンネルボタンを押すことにより番組を選択せねばならず、電子機器の操作に不慣れであるユーザーは簡易に番組選択をすることができなかった。
【０００４】
本発明の目的は、電子機器の操作に不慣れであるユーザーであっても簡易に番組選択ができるリモコン装置を提供することである。
【課題を解決するための手段】
【０００５】
第１の発明のリモコン装置は、番組欄が書き込まれている電子ペーパーを固定するとともに、タッチパネルを備えた選択手段と、電子ペーパーに書き込まれている文字情報を文字認識すると共に前記文字の位置情報を認識する文字及び領域認識手段と、ＥＰＧデータを取得するＥＰＧ取得手段と、文字及び領域認識手段で認識した文字情報と文字の位置情報とＥＰＧ取得手段で取得したＥＰＧ情報と選択手段のタッチパネルからチャンネル情報を認識するチャンネル認識手段と、チャンネル認識手段で認識したチャンネルに変更する旨のリモコン信号を発信する発信手段とを備える。
【０００６】
上記の様に第１の発明によれば、従来から行っている新聞等の紙面から番組を選択する感覚で番組選択をおこなえ、且つ選択に使ったペーパーがそのままリモコンがわりとなりチャンネル切り替えが可能となるので、複雑な機械操作やＥＰＧにふなれなユーザーに対して、番組選択を簡単にできるテレビジョンシステムを供給することが可能となる。
【発明の効果】
【０００７】
以上の様に本発明によればリモコン装置上の電子ペーパーに記載されている番組表を用いて、選択したい番組の部分を押下するのみで番組の選択ができるので、電子機器の操作に不慣れであるユーザーであっても簡易に番組選択ができる。
【発明を実施するための最良の形態】
【０００８】
（実施の形態１）
図１は本発明の一実施の形態におけるリモコン装置のブロック図で、図２は本発明の一実施の形態によるリモコン装置の動作を説明する為の図である。以下に図１および図２を用いて、具体的に説明をする。
【０００９】
図１において、１は新聞等の紙面から番組欄をスキャンし電子化する番組欄スキャン手段で、２は番組欄スキャン手段１から送信された番組欄データを表示する電子ペーパーで、３は番組スキャン手段１から送信された番組欄データに記載されている文字を認識しさらに当該文字のある場所を認識する文字及び領域認識手段で、４は電子ペーパー２を装着でき、さらにタッチパネルを備えた選択手段で、５はテレビジョン受信機等からＥＰＧデータを取得するＥＰＧ取得手段で、６は選択手段４と文字及び領域認識手段３とＥＰＧデータから選択手段４により選択されたチャンネルを識別するチャンネル認識手段で、７はチャンネル認識手段７で認識したチャンネルに変更する無線信号を後述する発信手段８に発信する旨の制御信号を送信する制御手段で、８は制御手段７からの制御信号を受けてチャンネル制御等の無線信号発信する発信手段である。
【００１０】
本実施の形態のリモコン装置は、番組欄スキャン手段１で取得した番組情報を電子ペーパー２にテレビの番組表を表示させ、タッチパネル等の選択手段４に電子ペーパー２を装着することで、番組表つきのリモコン装置を構成する。電子ペーパー２に表示する番組表を日々更新することでリモコン装置自体が新聞または番組ガイドブックの番組表の代わりとして使うことが可能となる。
【００１１】
図２に具体的に番組欄スキャン手段１でスキャンした番組表を電子ペーパー２に表示した際に、選択手段4が電子ペーパー２に記載されている番組表を識別する方法を示す。図２（ａ）左は番組欄スキャン手段１においてスキャンした紙面上の番組欄、図２（ａ）右はスキャンした番組欄データを横方向のみハイパスフィルターとハイパスフィルター結果の垂直方向の相関をみることによりチャンネルを仕切る縦線を検出し、チャンネル別の領域を識別する。各領域内の文字データは既存の文字認識技術、例えばパターンマッチング法、ゾンデ法、ストロークアナリシス法等によりデジタルデータに変換する。
【００１２】
識別した文字は、文字及び領域認識手段３において、名詞、固有名詞、数字等のキーワードをもとに、領域内の文字列を抽出する。一方ＥＰＧ取得手段５で取得したＥＰＧデータについても同様に何チャンネルどういう文字列が含まれているか抽出し、電子ペーパー２の各領域の文字列とＥＰＧデータ上の各チャンネルの文字列との比較を行う。
【００１３】
この比較よりＥＰＧデータ上のチャンネルに対する各領域内の文字の一致確立、または一致した個数が分かる。この文字一致確立・個数が一番高い電子ペーパー上の領域が比較対照のチャンネルとなり、電子ペーパー上の各領域のチャンネルが判定できる。
【００１４】
次に、図２（ｂ）に示すとおり、予め電子ペーパー２とタッチパネル等の選択手段４には各々座標を定義する。また、電子ペーパー２と選択手段４は物理的なガイド等により、縦横方向に正確に重ね合わせることが出来る構成にしておく。具体的には、定義する座標は、例えば電子ペーパー２上をＸＹ座標、タッチパネル等の選択手段４上をｘｙ座標とすると、電子ペーパー２と選択手段４を重ね合わせた場合に、２つの座標の原点と軸の方向を重なるものとし、更にＸＹ座標上の（ａ、ｂ）の点とｘｙ座標上の（ａ、ｂ）が一致するようにする。
【００１５】
これにより選択手段４により選択された個所が電子ペーパー２上のどこに当たるかが識別可能となる。
【００１６】
文字及び領域認識手段３により認識した電子ペーパー上の縦線は、電子ペーパー書き込み手段１によりスキャンした時に電子ペーパー書き込み手段１内で座標が分かっている。電子ペーパー書き込み手段１内の座標を前記ＸＹ座標へ変換させてやることにより、縦線と前記タッチパネルなどの選択手段４上ｘｙ座標上のどこに縦線があるかが判定できる。
【００１７】
これによりタッチパネルなどの選択手段４から電子ペーパー２上の縦線で区切られた領域を選択することが可能となる。
【００１８】
かかる構成のテレビ受信システムによれば、新聞等の紙面上の番組欄をスキャンしてとりこみ、そのままスキャンした内容を電子ペーパーに表示し、タッチパネル等の選択手段と一体構造をとることで、新聞等の紙面上の番組表から所望の番組を選択する感覚でリモコンによるチャンネルの切り替え操作ができ、ＥＰＧをテレビ画面に表示させ番組を選択する等のわずらわしい作業を行うことなく、番組選択からチャンネル切り替えまでを簡潔に行うことが可能となる。
【産業上の利用可能性】
【００１９】
本発明にかかるリモコン装置は、従来から行っている新聞等の紙面から番組を選択する感覚で番組選択をおこなえ、且つ選択に使ったペーパーがそのままリモコンがわりとなりチャンネル切り替えが可能となるので、複雑な機械操作やＥＰＧに不慣れなユーザーに対して、番組選択を簡単にできるテレビジョンシステムを供給することが可能となるのでテレビジョン放送を受信する受信装置等として有用である。
【図面の簡単な説明】
【００２０】
【図１】本発明の一実施の形態によるリモコン装置の構成を示すブロック図
【図２】本発明の一実施の形態によるリモコン装置の動作を説明する為の図
【符号の説明】
【００２１】
１    番組欄スキャン手段
２    電子ペーパー
３    文字及び領域認識手段
４    選択手段
５    ＥＰＧ取得手段
６    チャンネル認識手段
７    制御手段
８    発信手段
【図１】
2008028609.tif 000003
【図２】
2008028609.tif 000004